(57)【要約】【課題】脱穀フィードチェーン１、１番スクリューコンベヤ２３、２番スクリューコンベヤ２４、揺動選別装置２１、排ワラ細断装置５０の駆動が構造簡単に行なえるようにする。【解決手段】唐箕４０の回転支軸４６に支持させた出力プーリ８２、１番スクリューコンベヤ２３の入力プーリ２３ａ、２番スクリューコンベヤ２４の入力プーリ２４ａ、揺動選別装置２１を駆動する選別駆動プーリ２１ａ、排ワラ細断装置５０の細断入力プーリ５８にわたって同一の伝動ベルト８４を巻回してある。排ワラ細断装置５０の細断駆動部９４は、細断入力プーリ５８の駆動力を切断軸５３に伝達し、切断軸５３の駆動力を減速して供給軸５４に伝達する。供給軸５４に一体回動自在に支持させたフィードチェーン駆動スプロケット８０に、脱穀フィードチェーン１を巻回してある。【選択図】        図１１
2005000063.tif 000002
【特許請求の範囲】
【請求項１】
脱穀フィードチェーンによって刈取穀稈の株元側を挟持搬送してその穂先側を扱室に供給し、脱穀部からの処理物を揺動選別装置と、唐箕からの選別風によって選別処理して一番選別処理物を１番スクリューコンベヤによって搬送し、二番選別処理物を２番スクリューコンベヤによって搬送するように構成し、脱穀排ワラを切断軸が一体回動自在に有する切断刃と、供給軸が一体回動自在に有する供給刃によって細断処理する排ワラ細断装置を備えるとともに、前記排ワラ細断装置に、駆動力を切断軸に入力し、切断軸の駆動力を減速して供給軸に伝達する細断駆動部を備えてある排ワラ細断装置付き脱穀機であって、
前記唐箕の回転支軸に一体回転自在に支持させた出力プーリ、１番スクリューコンベヤの１番スクリュー入力プーリ、２番スクリューコンベヤの２番スクリュー入力プーリ、前記揺動選別装置を駆動する選別駆動プーリ、前記細断駆動部の細断入力プーリにわたって同一の伝動ベルトを巻回し、
前記供給軸の前記細断入力プーリが位置する側の端部にフィードチェーン駆動スプロケットを一体回動自在に支持させるとともに、このフィードチェーン駆動スプロケットに前記脱穀フィードチェーンを巻回してある排ワラ細断装置付き脱穀機。
【発明の詳細な説明】
【０００１】
【発明の属する技術分野】
本発明は、脱穀フィードチェーンによって刈取穀稈の株元側を挟持搬送してその穂先側を扱室に供給し、脱穀部からの処理物を揺動選別装置と、唐箕からの選別風によって選別処理して一番選別処理物を１番スクリューコンベヤによって搬送し、二番選別処理物を２番スクリューコンベヤによって搬送するように構成し、脱穀排ワラを切断軸が一体回動自在に有する切断刃と、供給軸が一体回動自在に有する供給刃によって細断処理する排ワラ細断装置を備えるとともに、前記排ワラ細断装置に、駆動力を切断軸に入力し、切断軸の駆動力を減速して供給軸に伝達する細断駆動部を備えてある排ワラ細断装置付き脱穀機に関する。
【０００２】
【従来の技術】
排ワラ細断装置を備えた脱穀機において、従来、たとえば特許文献１に示されるように、唐箕軸５Ａ（唐箕の回転支軸に相当）の出力プーリ２１と、一番物回収装置６（１番スクリューコンベヤに相当）の入力プーリ２２と、二番物回収装置７（２番スクリューコンベヤに相当）の入力プーリ２３と、揺動選別装置４の入力プーリ２４と、排ワラ細断装置２５の入力プーリ２６にわたって伝動ベルト２８を張設し、揺動選別装置４の駆動軸３３の出力プーリ３４（選別駆動プーリに相当）と、フィードチェーン１の入力プーリ３５にわたって伝動ベルト３６を張設しているものがあった。
【０００３】
【特許文献１】
特開平１０−３３０４９号公報  （  〔００１６〕欄、図６  ）
【０００４】
【発明が解決しようとする課題】
唐箕の回転支軸から各スクリューコンベヤであるとか揺動選別装置や排ワラ細断装置に動力伝達するとともに脱穀フィードチェーンに動力伝達する場合、脱穀フィードチェーンの駆動速度が、スクリューコンベヤや排ワラ細断装置の駆動速度に比して低速になるように、脱穀フィードチェーンに対して減速伝動する手段が必要になる。
上記した従来の駆動技術を採用した場合、揺動選別装置４の駆動軸３３の出力プーリ３４とフィードチェーン１の入力プーリ３５にわたって張設された伝動ベルト３６であるとか、前記入力プーリ３５をフィードチェーン１の駆動スプロケットに伝達する伝動機構によって、脱穀フィードチェーン１に対する減速伝動手段を構成する必要がある。この場合、減速伝動手段が脱穀フィードチェーンのための専用の減速伝動手段なり、経済面や重量面で不利になりやすくなっていた。また、減速伝動手段が脱穀フィードチェーンから排ワラ搬送装置に脱穀排ワラを供給される部位の下方に位置し、その排ワラ供給の際に発生しやすいワラ屑が減速伝動手段の上に落下して堆積する事態が発生しやすくなっていた。
【０００５】
本発明の目的は、唐箕の回転支軸から各スクリューコンベヤや揺動選別装置、排ワラ細断装置や脱穀フィードチェーンに対して構造簡単に動力伝達する割には、脱穀フィードチェーン専用の減速手段を不要にしながら脱穀フィードチェーンを適切な駆動速度で駆動できる排ワラ細断装置付き脱穀機を提供することにある。
【０００６】
【課題を解決するための手段】
請求項１による発明の構成、作用、効果はつぎのとおりである。
【０００７】
〔構成〕
脱穀フィードチェーンによって刈取穀稈の株元側を挟持搬送してその穂先側を扱室に供給し、脱穀部からの処理物を揺動選別装置と、唐箕からの選別風によって選別処理して一番選別処理物を１番スクリューコンベヤによって搬送し、二番選別処理物を２番スクリューコンベヤによって搬送するように構成し、脱穀排ワラを切断軸が一体回動自在に有する切断刃と、供給軸が一体回動自在に有する供給刃によって細断処理する排ワラ細断装置を備えるとともに、前記排ワラ細断装置に、駆動力を切断軸に入力し、切断軸の駆動力を減速して供給軸に伝達する細断駆動部を備えてある排ワラ細断装置付き脱穀機において、
前記唐箕の回転支軸に一体回転自在に支持させた出力プーリ、１番スクリューコンベヤの１番スクリュー入力プーリ、２番スクリューコンベヤの２番スクリュー入力プーリ、前記揺動選別装置を駆動する選別駆動プーリ、前記細断駆動部の細断入力プーリにわたって同一の伝動ベルトを巻回し、前記供給軸の前記細断入力プーリが位置する側の端部にフィードチェーン駆動スプロケットを一体回動自在に支持させるとともに、このフィードチェーン駆動スプロケットに前記脱穀フィードチェーンを巻回してある。
【０００８】
〔作用〕
唐箕の回転支軸の駆動力が出力プーリによって伝動ベルトに伝達され、この伝動ベルトによって、１番スクリュー入力プーリ、２番スクリュー入力プーリ、選別駆動プーリ、細断入力プーリに伝達され、細断入力プーリから細断駆動部によって供給軸に伝達されてこの供給軸から脱穀フィードチェーン駆動スプロケットに伝達される。細断駆動部が切断軸の駆動力を減速して供給軸に伝達するから、この減速伝動のために、脱穀フィードチェーン駆動スプロケットの駆動速度が、細断入力プーリであるとか各スクリュー入力プーリの駆動速度の割には低速になり、各スクリューコンベヤや揺動選別装置であるとか排ワラ細断装置の切断刃が搬送や選別あるいは排ワラ切断に必要な駆動速度で駆動され、脱穀フィードチェーンがスクリューコンベヤや切断刃の駆動速度に比して低速の所要速度で駆動される。
【０００９】
〔効果〕
従って、唐箕回転支軸の駆動力を各スクリューコンベヤ、揺動選別装置、排ワラ細断装置、脱穀フィードチェーンに伝達してこれらを駆動するのに、各入力プーリおよび選別駆動プーリに動力伝達する伝動ベルトを同一にし、かつ、排ワラ細断装置の駆動のための細断駆動部を脱穀フィードチェーンに対する減速伝動手段に利用した構造簡単な伝動構造によって駆動でき、軽量化するとかコストダウンできる。
さらに、排ワラ細断装置の細断駆動部を脱穀フィードチェーンに対する減速伝動手段に利用していることによって脱穀フィードチェーン専用の減速手段が不要になり、この面からも軽量化できるとか、冒頭に記したワラ屑堆積などのトラブル発生を回避できる。
【００１０】
【発明の実施の形態】
〔第１実施形態〕
図１，４に示すように、脱穀機体内の上部の前側に位置する扱室１１、この扱室内に位置する扱胴１２などを有した脱穀部１０、前記扱胴１２の下方に位置する揺動選別装置２１などを有した選別部２０、前記扱室１１の後方に位置する排塵ファン３１などを有した排出部３０、前記排塵ファン３１の後方に位置する排ワラ細断装置５０を備えて、脱穀機Ｄ１を構成してある。
この脱穀機Ｄ１は、２条の植付け条の稲、麦などの穀稈を刈り取り処理する刈取り前処理部（図示せず）が備えられた自走機体に装着して、０．５〜０．８ｍ／ｓｅｃの走行速度で刈取り走行しながら収穫作業できる低速型の２条刈りコンバインを構成するものであり、詳しくは次の如く構成してある。
【００１１】
すなわち、脱穀部１０は、前記扱室１１、脱穀機体前後向きの軸芯１２ａまわりで回動駆動される前記扱胴１２、この扱胴１２の下方に位置する受網１３などを備えて構成してあり、脱穀機体の横外側に駆動回動自在に設けるとともに扱室１１の扱き口１４に搬送側が沿っている脱穀フィードチェーン１によって刈取り前処理部からの刈取穀稈の株元側を脱穀機体後方向きに挟持搬送することによってその刈取穀稈の穂先側を扱室１１に供給し、その穂先側を扱胴１２と受網１３によって扱き処理し、脱穀粒やワラ屑などの脱穀処理物を、受網１３や扱室１１の送塵口１５から選別部２０の選別室２２に漏下させるとか落下させ、脱穀排ワラを脱穀フィードチェーン１によって扱室１１の送塵口１５から排出部３０に搬出する。
【００１２】
選別部２０は、扱室１１の下方に位置する選別室２２、この選別室内の上部に脱穀機体前後方向に揺動するように駆動自在に位置する前記揺動選別装置２１、この揺動選別装置２１の前端側の下方に位置する唐箕４０、揺動選別装置２１の下方で選別室２２の底部に位置する１番スクリューコンベヤ２３及び２番スクリューコンベヤ２４を備えて構成してある。
【００１３】
図２０，２１などに示すように、唐箕４０は、左右の選別部機壁２５にわたって取り付けた唐箕ケース本体４１と、前記左右の選別部機壁２５それぞれの前端部２５ａと、左右の選別部機壁２５にわたって取付けた送風体ケース部４７で成る唐箕ケース４２、この唐箕ケース４２の内部に脱穀機体横向きの軸芯４３ａまわりで駆動回動されるように設けた回転自在な回転送風体４３を備えて構成してあり、回動する回転送風体４３により唐箕ケース本体４１の左右の側板４１ａそれぞれに位置する吸気口４４から脱穀機体外の空気を吸引して選別風を発生させ、この選別風を選別室２２に脱穀機体後方向きに供給する。
【００１４】
これにより、選別部２０は、受網１３から漏下するとか送塵口１５から落下した脱穀粒やワラ屑などの脱穀処理物を揺動選別装置２１によって受け止め、この揺動選別装置２１による揺動選別と、唐箕４０からの選別風によって穀粒と、ワラ屑などの塵埃に選別し、精粒を１番スクリューコンベヤ２３に落下させてこの１番スクリューコンベヤ２３によって脱穀機体の横外側に搬出し、未処理粒を２番スクリューコンベヤ２４に落下させてこの２番スクリューコンベヤ２４によって脱穀機体の横外側に搬送し、この２番スクリューコンベヤ２４の搬送終端部に接続している揚送装置２によって脱穀機体前側の扱室下部のレベルまで揚送して脱穀機壁の投入口（図示せず）から脱穀機体内に投入して揺動選別装置２１の前端部に還元し、塵埃を揺動選別装置２１の後方に位置する選別室２２の排出口２６から脱穀機体外に排出するようになっている。
【００１５】
排出部３０は、扱室１１の前記送塵口１５に連通している排ワラ搬出室３２、脱穀機体横向きの軸芯まわり回動するように駆動される前記排塵ファン３１、この排塵ファン３１の上方に位置する無端回動チェーンなどで成る排ワラ搬送装置３３を備えて構成してあり、扱室１１の送塵口１５から搬出された脱穀排ワラを排ワラ搬送装置３３によって脱穀フィードチェーン１から受け継いで脱穀機体に対して穂先側に寄せながら脱穀機体後方向きに排ワラ細断装置５０の上方まで搬送し、排ワラ細断装置５０の排ワラ受入れ口５１を開閉する揺動蓋５２が開いていると、その排ワラ受入れ口５１に落下させ、前記揺動蓋５２が閉じていると、排ワラ搬出室３２の後部に位置する送出口３４から排ワラ細断装置５０の後方に落下させて長ワラ状態のままで圃場に落下させる。また、選別部２０で発生した塵埃を排塵ファン３１によって選別風と共に吸引し、ファンケースの吐出口３５から脱穀機体の後方に排出するようになっている。
【００１６】
排ワラ細断装置５０は、排ワラ受入れ口５１に落下された脱穀排ワラを、脱穀機体横向きの軸芯まわり回動駆動される切断軸５３の長手方向での複数箇所に一体回動自在に付いている円板形の切断刃５５と、脱穀機体横向きの軸芯まわりで回動駆動される供給軸５４の長手方向での複数箇所に一体回動自在に付いている円板形の供給刃５６とによって両刃５５，５６の間に取り込んで稈身方向に細断し、カッターケース５７の下部に位置する放出口から圃場に落下させる。
【００１７】
〔第２実施形態〕
図２，５に示すように、脱穀機体内の上部の前側に位置する扱室１１、この扱室内に位置する扱胴１２などを有した脱穀部１０、前記扱胴１２の下方に位置する揺動選別装置２１などを有した選別部２０、前記扱室１１の後方に位置する排塵ファン３１などを有した排出部３０、前記排塵ファン３１の後方に位置する排ワラ細断装置５０を備えて、脱穀機Ｄ２を構成してある。
この脱穀機Ｄ２は、２条の植付け条の稲、麦などの穀稈を刈り取り処理する刈取り前処理部（図示せず）が装備された自走機体に装着して、０．９〜１．０ｍ／ｓｅｃの走行速度で刈取り走行しながら収穫作業できる高速型の２条刈りコンバインを構成するとか、３条の稲、麦などの植立穀稈を刈り取り処理する刈取り前処理部（図示せず）が装備された自走機体に装着して、約０．７ｍ／ｓｅｃの走行速度で刈取り走行しながら収穫作業できる低速型の３条刈りコンバインを構成するものである。
【００１８】
すなわち、脱穀部１０、選別部２０、排出部３０及び排ワラ細断装置５０は、第１実施形態の脱穀機Ｄ１のそれと同様に構成してあり、脱穀フィードチェーン１によって刈取り前処理部からの刈取穀稈の株元側を脱穀機体後方向きに挟持搬送して穂先側を扱室１１に供給し、その穂先側を扱胴１１と受網１３によって扱き処理し、脱穀処理物を扱室１１の受網１３や送塵口１５から漏下あるいは落下させ、脱穀排ワラを脱穀フィードチェーン１によって扱室１１の送塵口１５から搬出する。扱室１１から搬出された脱穀排ワラを排ワラ搬送装置３３によって脱穀機体に対して穂先側に寄せながら脱穀機体後方向きに搬送して排ワラ細断装置５０に供給したり、排ワラ細断装置５０の後方に落下させて圃場に長ワラ状態で落下させる。受網１３から漏下するとか送塵口１５から選別室２２に落下した脱穀処理物を揺動選別装置２１によって受け止め、この揺動選別装置２１による揺動選別と、唐箕４０からの選別風によって穀粒と、ワラ屑などの塵埃に選別し、精粒を１番スクリューコンベヤ２３によって脱穀機体の横外側に搬出し、未処理粒を２番スクリューコンベヤ２４によって脱穀機体の横外側に搬送し、この２番スクリューコンベヤ２４の搬送終端部に接続している揚送装置２によって揺動選別装置２１の前端部に還元し、塵埃を揺動選別装置２１の後方に位置する選別室２２の排出口２６から脱穀機体外に排出したり、排塵ファン３１によって選別風と共に吸引させて吐出口３５から脱穀機体の後方に排出する。
【００１９】
〔第３実施形態〕
図３，６に示すように、脱穀機体内の上部の前側に位置する扱室１１、この扱室内に位置する扱胴１２などを有した脱穀部１０、前記扱胴１２の下方に位置する揺動選別装置２１などを有した選別部２０、前記扱室１１の後方に位置する排塵ファン３１などを有した排出部３０、前記排塵ファン３１の後方に位置する排ワラ細断装置５０を備えて、脱穀機Ｄ３を構成してある。
この脱穀機Ｄ３は、３条の植付け条の稲、麦などの穀稈を刈り取り処理する刈取り前処理部（図示せず）が装備された自走機体に装着して、０．８〜１．０ｍ／ｓｅｃの走行速度で刈取り走行しながら収穫作業できる高速型の３条刈りコンバインを構成するものである。
【００２０】
すなわち、脱穀部１０、選別部２０、排出部３０及び排ワラ細断装置５０は、第１実施形態の脱穀機Ｄ１、および第２実施形態の脱穀機Ｄ２のそれと同様に構成してあり、脱穀フィードチェーン１によって刈取り前処理部からの刈取穀稈の株元側を脱穀機体後方向きに挟持搬送して穂先側を扱室１１に供給し、その穂先側を扱胴１１と受網１３によって扱き処理し、脱穀処理物を扱室１１の受網１３や送塵口１５から漏下あるいは落下させ、脱穀排ワラを脱穀フィードチェーン１によって扱室１１の送塵口１５から搬出する。扱室１１から搬出された脱穀排ワラを排ワラ搬送装置３３によって脱穀機体に対して穂先側に寄せながら脱穀機体後方向きに搬送して排ワラ細断装置５０に供給したり、排ワラ細断装置５０の後方に落下させて圃場に長ワラ状態で落下させる。受網１３から漏下するとか送塵口１５から選別室２２に落下した脱穀処理物を揺動選別装置２１によって受け止め、この揺動選別装置２１による揺動選別と、唐箕４０からの選別風によって穀粒と、ワラ屑などの塵埃に選別し、精粒を１番スクリューコンベヤ２３によって脱穀機体の横外側に搬出し、未処理粒を２番スクリューコンベヤ２４によって脱穀機体の横外側に搬送し、この２番スクリューコンベヤ２４の搬送終端部に接続している揚送装置２によって揺動選別装置２１の前端部に還元し、塵埃を揺動選別装置２１の後方に位置する選別室２２の排出口２６から脱穀機体外に排出したり、排塵ファン３１によって選別風と共に吸引させて吐出口３５から脱穀機体の後方に排出する。
【００２１】
第１実施形態の脱穀機Ｄ１においては図４に示し、第２実施形態の脱穀機Ｄ２においては図５，７に示し、第３実施形態の脱穀機Ｄ３においては図６，７に示すように、脱穀部１０と選別部２０の脱穀機体左側及び右側の機壁１６ａ，１６ｂ，２５どうしの間に設けた脱穀機体前後向きの脱穀選別連結線Ａ１，Ａ２、脱穀部１０と排出部３０の脱穀機体左側及び右側の機壁１６ａ，１６ｂ，３６どうしの間に設けた脱穀機体上下向きの脱穀排出連結線Ｂ１，Ｂ２、選別部２０と排出部３０の脱穀機体左側及び右側の機壁２５，３６どうしの間に設けた脱穀機体前後向きの選別排出連結線Ｃ、唐箕ケース本体４１と選別部２０の脱穀機体左側及び右側の側板４１ａと機壁２７の間に設けた脱穀機体上下向きの唐箕連結線Ｄを備えてある。脱穀機Ｄ１の右側面図は省略しているが、脱穀機Ｄ１，Ｄ２，Ｄ３のいずれにおいても、後述する如く機体右側の脱穀選別連結線Ａ２は、機体左側の脱穀選別連結線Ａ１より高い配置レベルに位置している。脱穀機Ｄ１，Ｄ２，Ｄ３のいずれにおいても、機体左側の選別排出連結線Ｃと、機体右側の選別排出連結線Ｃは、同じ配置レベルに位置している。脱穀機Ｄ１にあっては、唐箕４０が脱穀部１０の前端より脱穀機体前方に大きく突出しており、脱穀機Ｄ２，Ｄ３にあっては、唐箕４０が脱穀部１０の前端より脱穀機体前方にあまり突出していないことから、脱穀機Ｄ１，Ｄ２，Ｄ３のうちのＤ２とＤ３にあっては、脱穀部１０と唐箕ケース本体４１の脱穀機体左側および右側の脱穀機壁１６ａ，１６ｂ、側板４１ａどうしの間に設けた脱穀唐箕連結線Ｅを備えてある。
【００２２】
各脱穀機Ｄ１，Ｄ２，Ｄ３の前記機体左側の脱穀選別連結線Ａ１も、前記機体右側の脱穀選別連結線Ａ２も、扱室１１、扱胴１２、受網１３を有した脱穀部構造体１７と、選別室２２、揺動選別装置２１、１番スクリューコンベヤ２３、２番スクリューコンベヤ２４を有した選別部構造体２８を各別に作製して連結した部位を示している。各脱穀機Ｄ１，Ｄ２，Ｄ３の前記機体左側の脱穀排出連結線Ｂ１も、前記機体右側の脱穀排出連結線Ｂ２も、排ワラ搬出室３２、排塵ファン３１を有した排出部構造体３７と、前記脱穀部構造体１７を各別に作製して連結した部位を示している。各脱穀機Ｄ１，Ｄ２，Ｄ３の前記機体左右側の選別排出連結線Ｃは、前記選別部構造体２８と前記排出部構造体３７を各別に作製して連結した部位を示している。各脱穀機Ｄ１，Ｄ２，Ｄ３の前記機体左右側の唐箕連結線Ｄは、前記唐箕４０の回転送風体４３及び唐箕ケース本体４１を有した唐箕本体構造体４５と、前記選別部構造体２８を各別に作製して連結した部位を示している。脱穀機Ｄ２，Ｄ３の前記機体左右側の脱穀唐箕連結線Ｅは、前記脱穀部構造体１７と唐箕本体構造体４５を各別に作製して連結した部位を示している。
【００２３】
脱穀機Ｄ１，Ｄ２，Ｄ３のいずれにおいても、図９，１２などに示すように、脱穀部構造体１７は、左右の横側壁１６ａ，１６ｂ、扱室１１の前壁部分１１ａおよび後壁部分１１ｂなどを有した脱穀部機壁を備えるとともに前記受網１３が内部に装着された下部構造体１８、この下部構造体１８の扱き口１４が位置する側とは反対側の横端部の上部に対して連結軸芯１９ａで横端部が回動自在に連結していて、扱胴１２の回動軸芯１２ａと平行な前記連結軸芯１９ａのまわりで下部構造体１８に対して上下に揺動して扱室１１及び排ワラ搬出室３２を開閉する上部構造体１９を備えて構成してある。
【００２４】
図１３，１５などに示すように、上部構造体１９は、扱室１１の前壁部分１１ｅと後壁部分１１ｄで扱胴１２を回動自在に支持しており、上昇揺動されて扱室１１を開放する際、扱胴１２を持ち上げるようになっている。また、上部構造体１９は、この上部構造体１９の遊端部における内側に前端側が固定された脱穀機体前後向きの鋼管材で成る図４，５，６の如き上部構造体フレーム１９ｂを備えており、上部構造体１９が下降操作されて扱室１１を閉じた際、上部構造体フレーム１９ｂの後端部に固定された係止部材１９ｃで、排出部構造体３７の鋼管材で成る図１，２，３の如き排出部フレーム３８の前端部に固定の連結ピン３８ａに対して係合して上部構造体１９の位置決めを行なう。
【００２５】
脱穀機Ｄ１，Ｄ２，Ｄ３のいずれにおいても、排出部構造体３７は、左右の排出部機壁３６、前記排ワラ搬出室３２、前記送出口３４を備えた構造体本体、この構造体本体の内部に取り付けた前記排塵ファン３１及び前記排出部フレーム３８を備えて構成してある。
【００２６】
脱穀機Ｄ１，Ｄ２，Ｄ３のいずれにおいても、選別部構造体２８は、左右の選別部機壁２５、前記選別室２２、前記排出口２６を備えた構造体本体、この構造体本体の内部に取り付けた前記揺動選別装置２１、１番スクリューコンベヤ２３、２番スクリューコンベヤ２４を備えて構成してある。
【００２７】
脱穀機Ｄ１，Ｄ２，Ｄ３のいずれにおいても、唐箕本体構造体４５は、前記唐箕ケース本体４１、この唐箕ケース本体４１の左右の横側板４１ａにわたって回動自在に支持させた前記回転送風体４３を備えて構成してある。
【００２８】
つまり、各脱穀機Ｄ１，Ｄ２，Ｄ３は、図８に示す製作方法に基づいて製作してある。
すなわち、脱穀部構造体１７として、小型の脱穀部構造体１７ａと大型の脱穀部構造体１７ｂを各別に製作しておく。小型の脱穀部構造体１７ａは、回転軸芯１２ａに沿う方向での長さがＬ１である短尺の扱胴１２によって扱き処理するように構成したものであり、大型の脱穀部構造体１７ｂは、回転軸芯１２ａに沿う方向での長さが前記Ｌ１より長いＬ２である長尺の扱胴１２によって扱き処理するように構成したものである。
選別部構造体２８として、小型の選別部構造体２８ａと、大型の選別部構造体２８ｂを各別に作製しておく。小型の選別部構造体２８ａは、脱穀機体横幅方向に沿う方向での横幅がＷ１である小横幅の揺動選別装置２１によって選別処理するように構成したものであり、大型の選別部構造体２８ｂは、脱穀機体横幅方向に沿う方向での横幅が前記Ｗ１より大のＷ２である大横幅の揺動選別装置２１によって選別処理するように構成したものである。
排出部構造体３７として、小型の排出部構造体３７ａと、大型の排出部構造体３７ｂを各別に作製しておく。小型の排出部構造体３７ａは、排塵ファン３１として処理能力が比較的小さいものを採用し、かつ、排出部フレーム３８の脱穀機体前後方向長さを小にしたものであり、大型の排出部構造体３７ｂは、排塵ファン３１として処理能力が大きいものを採用し、かつ、排出部フレーム３８の脱穀機体前後方向長さを大にしたものである。
唐箕本体構造体４５として、小型の唐箕本体構造体４５ａと、中型の唐箕本体構造体４５ｂと、大型の唐箕本体構造体４５ｃを各別に製作しておく。小型の唐箕本体構造体４５ａは、回転送風体４３の羽根数であるとか大きさを適切なものに設定することによって小送風能力を備えさせ、かつ、唐箕ケース本体４１を前記小型の選別部構造体２８の左右の選別部機壁２５にわたって取り付けられるように、唐箕ケース本体４１の脱穀機体横幅方向での長さを小型の選別部構造体２８の脱穀機体横幅方向での大きさに適応した大きさのＦ１にしたものである。中型の唐箕本体構造体４５ｂは、回転送風体４３の羽根数であるとか大きさを適切なものに設定することによって中送風能力を備えさせ、かつ、唐箕ケース本体４１を前記小型の選別部構造体２８ａの左右の選別部機壁２５にわたって取り付けられるように、唐箕ケース本体４１の脱穀機体横幅方向での長さを小型の選別部構造体２８ａの脱穀機体横幅方向での大きさに適応した大きさのＦ１にしたものである。大型の唐箕本体構造体４５ｃは、回転送風体４３の羽根数であるとか大きさを適切なものに設定することによって大送風能力を備えさせ、かつ、唐箕ケース本体４１を前記大型の選別部構造体２８ｂの左右の選別部機壁２５にわたって取り付けられるように、唐箕ケース本体４１の脱穀機体横幅方向での長さを大型の選別部構造体２８ｂの脱穀機体横幅方向での大きさに適応した大きさのＦ２にしたものである。
そして、適切な処理能力を備えた脱穀部構造体１７、選別部構造体２８、排出部構造体３７、唐箕本体構造体４５を組み合わせて前記左右の脱穀選別連結線Ａ１，Ａ２、脱穀排出連結線Ｂ１，Ｂ２、選別排出連結線Ｃ、脱穀唐箕連結線Ｅで連結し、排出部構造体３７の後部に排ワラ細断装置５０を連結することによって製作してある。
【００２９】
さらに詳述すると、図４，９に示すように、第１実施形態の脱穀機Ｄ１、すなわち低速型の２条刈りコンバインを構成する脱穀機Ｄ１にあっては、前記小型の脱穀部構造体１７ａと前記小型の選別部構造体２８ａと前記小型の排出部構造体３７ａを前記左右の脱穀選別連結線Ａ１，Ａ２、脱穀排出連結線Ｂ１，Ｂ２、選別排出連結線Ｃで連結し、前記小型の唐箕本体構造体４５ａと前記小型の選別部構造体２８ａを前記左右の唐箕連結線Ｄで連結し、排出部構造体３７ａの後部に排ワラ細断装置５０を連結することによって構成してある。
【００３０】
図５，９に示すように、第２実施形態の脱穀機Ｄ２、すなわち高速型の２条刈りコンバインであるとか低速型の３条刈りコンバインを構成する脱穀機Ｄ２にあっては、前記大型の脱穀部構造体１７ｂと前記小型の選別部構造体２８ａと前記小型の排出部構造体３７ａを前記左右の脱穀選別連結線Ａ１，Ａ２、脱穀排出連結線Ｂ１，Ｂ２、選別排出連結線Ｃで連結し、前記中型の唐箕本体構造体４５ｂと前記小型の選別部構造体３７ａを前記左右の唐箕連結線Ｄで連結し、排出部構造体２８ａの後部に排ワラ細断装置５０を連結することによって構成してある。尚、この脱穀機Ｄ２にあっては、揺動選別装置２１は、脱穀機Ｄ１の揺動選別装置２１と同一の横幅Ｗ１を備えているが、脱穀機Ｄ２の扱胴１２の長さＬ２が、脱穀機Ｄ１の扱胴２１の長さＬ１より長いことから、脱穀機Ｄ２の揺動選別装置２１の始端部のグレンパン２１ｂの扱胴回動軸芯方向での長さを、脱穀機Ｄ１の揺動選別装置２１の始端部のグレンパン２１のその長さより大にしてある。
【００３１】
図６，１０に示すように、第３実施形態の脱穀機Ｄ３、すなわち高速型の３条刈りコンバインを構成する脱穀機Ｄ３にあっては、前記大型の脱穀部構造体１７ｂと前記大型の選別部構造体２８ｂと前記大型の排出部構造体３７ｂを前記左右の脱穀選別連結線Ａ１，Ａ２、脱穀排出連結線Ｂ１、Ｂ２、選別排出連結線Ｃで連結し、前記大型の唐箕本体構造体４５ｃと前記大型の選別部構造体２８ｂを前記左右の唐箕連結線Ｄで連結し、排出部構造体３７ｂの後部に排ワラ細断装置５０を連結することによって構成してある。
【００３２】
脱穀機Ｄ１，Ｄ２，Ｄ３のいずれにおいても、脱穀部構造体１７、選別部構造体２８、排出部構造体３７、唐箕本体構造体４５の連結は、図１２〜２１に示す連結構造に基づいて行なうように構成してある。
【００３３】
図１２，１３，１４に示すように、脱穀部構造体１７の左右の横側壁１６ａ，１６ｂのうち、扱き口１４が位置する側の横側壁１６ａを、この横側壁１６ａの下端６１が下降閉じ状態にある扱胴１２の下端より低い配置レベルに位置するように構成し、脱穀部構造体１７の左右の横側壁１６ａ，１６ｂのうち、扱き口１４が位置する側とは反対側の横側壁１６ｂを、この横側壁１６ｂの下端６２が下降閉じ状態にある扱胴１２の下端より高い配置レベルに位置するように構成し、脱穀部構造体１７の前記左右の横側壁１６ａ，１６ｂそれぞれの下端部に、脱穀機体下向きの連結面６３ａが付いた連結フランジ６３を設け、選別部構造体２８の前記左右の選別部機壁２５それぞれの上端部に、脱穀機体上向き連結面６４ａが付いた連結フランジ６４を設けてある。
【００３４】
すなわち、図１４（イ）に示すように、脱穀部構造体１７の左側壁１６ａの下端部の連結フランジ６３と、選別部構造体２８の左側の選別部機壁２５の上端部の連結フランジ６４を、連結面６３ａ，６４ａどうしで接合させて連結ボルトで締め付け連結し、図１４（ロ）に示すように、脱穀部構造体１７の右側壁１６ｂの下端部の連結フランジ６３と、選別部構造体２８の右側の選別部機壁２５の上端部の連結フランジ６４を、連結面６３ａ，６４ａどうしで接合させて連結ボルトで締め付け連結するようになっている。そして、扱室１１の扱き口側とは反対側で受網１２から漏下した処理物を小型の選別部構造体２８ａの揺動選別装置２１に落下するように案内する傾斜壁６５を小型の選別部構造体２８ａの右側の選別部機壁２５に備えさせておき、脱穀部構造体１７の扱き口側とは反対側の横側壁１６ｂとしては鉛直姿勢の１種類だけを準備することにより、大型の選別部構造体２８ｂを脱穀部構造体１７に対して連結することも、小型の選別部構造体２８ａを、これの揺動選別装置２１に脱穀処理物が落下案内されるようにして脱穀部構造体１７に対して連結することもできるようになっている。
【００３５】
図８，１８などに示すように、脱穀部構造体１７の前記左右の横側壁１６ａ，１６ｂのうちの扱き口１４が位置する側とは反対側の横側壁１６ｂの後端縁６６を、鉛直又はほぼ鉛直な脱穀機体上下向き縁に形成し、前記左右の横側壁１６ａ，１６ｂのうちの扱き口１４が位置する側の横側壁１６ａの後端縁６７を、この横側壁１６ａの内面側に備えてある下唇板６８のうちの扱き口後端部に沿っている部分６８ａの後側近くにこの下唇板部分６８ａに沿って位置するように上端側ほど脱穀機体後方側に位置した状態に傾斜した傾斜縁に形成してある。扱き口側の横側壁１６ａの前記後端縁６７は、この後端縁６７の上端６７ａが扱き口側とは反対側の横側壁１６ｂの後端縁６６の上端６６ａより脱穀機体後方側に位置した状態に形成してある。図１９に示すように、前記左右の横側壁１６ａ，１６ｂそれぞれの後端部に、脱穀機体後方向きの連結面７０ａが付いた連結フランジ７０を設け、排出部構造体３７の左右の排出部機壁３６それぞれの前端部に、脱穀機体前方向きの連結面７１ａが付いた連結フランジ７１を設けてある。
【００３６】
すなわち、図１９（ロ）に示すように、脱穀部構造体１７の左側壁１６ａの後端部の連結フランジ７０と、排出部構造体３７の左側の排出部機壁３６の前端部の連結フランジ７１を、連結面７０ａ，７１ａどうしで接合させて連結ボルトで締め付け連結し、図１９（イ）に示すように、脱穀部構造体１７の右側壁１６ｂの後端部の連結フランジ７０と、排出部構造体３７の右側の排出部機壁３６の前端部の連結フランジ７１を、連結面７０ａ，７１ａどうしで接合させて連結ボルトで締め付け連結するようになっている。
【００３７】
図１６，１７に示すように、排出部構造体３７の前記左右の排出部機壁３６それぞれの下端部に、脱穀機体下向きの連結面７２ａが付いた連結フランジ７２を設け、排出部構造体３７の左側の排出部機壁３６の下端部の連結フランジ７２と、選別部構造体２８の左側の選別部機壁２５の上端部の前記連結フランジ６４を、連結面７２ａ，６４ａどうしで接合させて連結ボルトで締め付け連結し、排出部構造体３７の右側の排出部機壁３６の下端部の連結フランジ７２と、選別部構造体２８の右側の選別部機壁２５の上端部の前記連結フランジ６４を、連結面７２ａ，６４ａどうしで接合させて連結ボルトで締め付け連結するようになっている
【００３８】
図２０，２１に示すように、唐箕ケース本体４１の前記左右の横側板４１ａそれぞれの後端側に、脱穀機体後方向きの連結面が付いた連結フランジ７３を設け、選別部構造体２８の左右の選別部機壁２５それぞれの前端側に、脱穀機体前方向きの連結面が付いた連結フランジ７４を設け、唐箕ケース本体４１および選別部構造体２８の両横側で、唐箕ケース本体４１の連結フランジ７３と、選別部機壁２５の連結フランジ７４を、連結面どうしで接合させて連結ボルトで締め付け連結するようになっている。唐箕ケース本体４１の前記左右の横側板４１ａそれぞれの上端側に、脱穀機体上方向きの連結面が付いた連結フランジを設け、唐箕ケース本体４１および脱穀部構造体１７の両横側で、唐箕ケース本体４１の連結フランジと、脱穀部機壁１６ａ，１６ｂの連結フランジ６３を、連結面６３ａどうしで接合させて連結ボルトで締め付け連結するようになっている。
【００３９】
脱穀機Ｄ１，Ｄ２，Ｄ３のいずれにおいても、脱穀フィードチェーン１の取り付け、および脱穀フィードチェーン１、１番スクリューコンベヤ２３、２番スクリューコンベヤ２４、排ワラ細断装置５０、排塵ファン３１の駆動は、図１１に示す取付け構造、駆動構造に基づいて行なうようになっている。
すなわち、脱穀部構造体１７の左側壁１６ａの外面側と、排出部構造体３７の左側の排出部機壁３６の外面側とにわたって脱穀フィードチェーンガイド３を取付け、この脱穀フィードチェーンガイド３と、排ワラ細断装置５０の前記供給軸５４に一体回動自在に取り付けたフィードチェーン駆動スプロケット８０と、脱穀部構造体１７の左側壁１６ａの外面側に支持させたテンションローラ８１にわたって脱穀フィードチェーン１を巻回してある。
前記フィードチェーン駆動スプロケット８０は、これの取り付けボス部と、供給軸５４にわたって装着したシアピン９１の係合作用により、供給軸５４に対して一体回動自在に連結している。
【００４０】
図２２に示すように、前記切断軸５３の一端部に一体回動自在に取り付けた前記細断入力プーリ５８、前記切断軸５３の前記細断入力プーリ５８より脱穀機体内側に位置する部位に一体回動自在に取り付けた小径ギヤ９２、この小径ギヤ９２に噛合うように構成して前記供給軸５４の端部５４ａに一体回動自在に支持させた大径ギヤ９３により、排ワラ細断装置５０の細断駆動部９４を構成してある。
【００４１】
唐箕４０の回転送風体４３の回転支軸４６に一体回転自在に取り付けた出力プーリ８２、前記１番スクリューコンベア２３の回転支軸の端部に一体回転自在に取り付けた１番スクリュー駆動プーリ２３ａ、前記２番スクリューコンベヤ２４の回転支軸の端部に一体回転自在に取り付けた２番スクリュー駆動プーリ２４ａ、前記揺動選別装置２１を揺動駆動する回転駆動軸の端部に一体回転自在に取り付けた選別装置駆動プーリ２１ａ、排ワラ細断装置５０の前記細断入力プーリ５８、排塵ファン３１の回転支軸に一体回転自在に取り付けた排塵ファン駆動プーリ３１ａ、脱穀機体の外面側の複数箇所に支持させたガイドプーリ８３にわたって一本の無端伝動ベルト８４を巻回してある。
すなわち、自走機体のエンジンから唐箕４０を駆動するように回転送風体４３の回転支軸４６の出力プーリ８２側とは反対側の端部に動力伝達されて駆動されるこの回転支軸４６の駆動力を、この回転支軸４６の入力側とは反対側の端部から出力プーリ８２によって取り出して伝動ベルト８４によって１番スクリュー入力プーリ２３ａ、２番スクリュー入力プーリ２４ａ、選別駆動プーリ２１ａ、ファン入力プーリ３１ａのそれぞれに伝達し、１番スクリュー入力プーリ２３ａによって１番スクリューコンベヤ２３に駆動力を入力し、２番スクリュー入力プーリ２４ａによって２番スクリューコンベヤ２４に駆動力を入力し、選別駆動プーリ２１ａによってクランク機構を介して揺動選別装置２１を駆動し、ファン入力プーリ３１ａによって排塵ファン３１に駆動力を入力するようになっている。
【００４２】
また、唐箕４０の回転支軸４６の駆動力を伝動ベルト８４によって細断入力プーリ５８に伝達することにより、細断駆動部９４に入力して排ワラ細断装置５０を駆動するようになっている。
すなわち、細断駆動部９４は、伝動ベルト８４の駆動力を細断入力プーリ５８よって切断軸５３に入力してこの切断軸５３を駆動することにより、切断刃５５を駆動する。また、切断軸５３の駆動力を小径ギヤ９２と大径ギヤ９３によって減速して供給軸５４に伝達してこの供給軸５４を駆動することにより、供給刃５６を切断刃５５の駆動速度より低速で駆動する。
【００４３】
また、伝動ベルト８４によって細断入力プーリ５８に伝達された駆動力を、細断駆動部９４の小径ギヤ９２と大径ギヤ９３によって減速して供給軸５４に伝達して供給軸５４を駆動することにより、この供給軸５４によってフィードチェーン駆動スプロケット８０を切断軸５３や排塵ファン３１より低速で駆動し、このフィードチェーン駆動スプロケット８０によって脱穀フィードチェーン１を適切な駆動速度で駆動する。
【００４４】
脱穀機Ｄ１，Ｄ２，Ｄ３のいずれにおいても、選別部構造体２８の下部の前後２箇所に、選別部機壁２５に切欠きを設けて形成した搭載用の連結部８７，８８を設け、この前後２箇所の連結部８７，８８で、コンバイン用の走行機体の機体フレーム９０に搭載するようになっている。
【００４５】
前記２箇所の連結部８７，８８のうちの前側の連結部８７は、選別部機壁２５のうちの唐箕ケース本体４１が連結している部位より脱穀機体後方側で、かつ、脱穀部機壁の左右の横側壁１６ａ，１６ｂそれぞれの後端縁６６，６７、および排出部構造体３７の左右の排出部機壁３６の前端縁７５それぞれの下端の直下より脱穀機体前方側に位置する部位に配置してあり、前側の連結部８７に対して機体フレーム９０から掛かる脱穀機体荷重の反力が唐箕ケース本体４１と選別部機壁２５が接合している部位や、脱穀部機壁の左右側壁１６ａ，１６ｂと排出部機壁３６が接合している部位に掛かりにくくなっている。
前記２箇所の連結部８７，８８のうちの後側の連結部８８は、選別部機壁２５のうちの脱穀部機壁の左右側壁１６ａ，１６ｂの後端縁６６，６７および排出部機壁３６の前端縁７５それぞれの直下より機体前方側に位置する部位に配置してあり、後側の連結部８８に対して機体フレーム９０から掛かる脱穀機体荷重の反力が唐箕ケース本体４１と選別部機壁２５が接合している部位や、脱穀部機壁の左右側壁１６ａ，１６ｂと排出部機壁３６が接合している部位に掛かりにくくなっている。
【００４６】
〔別実施形態〕
各構造体における連結フランジどうしを連結するにあたり、上記実施形態の如く連結ボルトによって締め付け連結する他に、溶接によって連結する手段を採用して実施してもよい。
【図面の簡単な説明】
【図１】コンバイン用脱穀機Ｄ１の縦断側面図
【図２】コンバイン用脱穀機Ｄ２の縦断側面図
【図３】コンバイン用脱穀機Ｄ３の縦断側面図
【図４】コンバイン用脱穀機Ｄ１の各構造体の連結状態を示す左側面図
【図５】コンバイン用脱穀機Ｄ２の各構造体の連結状態を示す左側面図
【図６】コンバイン用脱穀機Ｄ３の各構造体の連結状態を示す左側面図
【図７】コンバイン用脱穀機Ｄ２，Ｄ３の各構造体の連結状態を示す右側面図
【図８】脱穀機の製作要領を示す側面図
【図９】コンバイン用脱穀機Ｄ１，Ｄ２の各構造体の連結状態を示す正面図
【図１０】コンバイン用脱穀機Ｄ３の各構造体の連結状態を示す正面図
【図１１】駆動構造を示す側面図
【図１２】コンバイン用脱穀機Ｄ１，Ｄ２の脱穀部構造体と選別部構造体の連結構造を示す断面図
【図１３】コンバイン用脱穀機Ｄ３の脱穀部構造体と選別部構造体の連結構造を示す断面図
【図１４】脱穀部機壁と選別部機壁の連結構造を示す断面図
【図１５】扱室の開き状態を示す断面図
【図１６】排出部構造体と選別部構造体の連結構造を示す断面図
【図１７】排出部機壁と選別部機壁の連結構造を示す断面図
【図１８】脱穀部構造体と排出部構造体の連結構造を示す断面図
【図１９】脱穀部機壁と排出部機壁の連結状態を示す断面図
【図２０】唐箕の断面図
【図２１】唐箕本体構造体と選別部構造体の連結構造を示す断面図
【図２２】細断駆動部の平面図
【符号の説明】
１              脱穀フィードチェーン
１０            脱穀部
１１            扱室
２１            揺動選別装置
２１ａ          選別駆動プーリ
２３            １番スクリューコンベヤ
２３ａ          １番スクリュー入力プーリ
２４            ２番スクリューコンベヤ
２４ａ          ２番スクリュー入力プーリ
４０            唐箕
４６            回転支軸
５０            排ワラ細断装置
５３            切断軸
５４            供給軸
５５            切断刃
５６            供給刃
５８            細断入力プーリ
８０            フィードチェーン駆動プーリ
８２            出力プーリ
８４            伝動ベルト
９４            細断駆動部
【図１】
2005000063.tif 000003
【図２】
2005000063.tif 000004
【図３】
2005000063.tif 000005
【図４】
2005000063.tif 000006
【図５】
2005000063.tif 000007
【図６】
2005000063.tif 000008
【図７】
2005000063.tif 000009
【図８】
2005000063.tif 000010
【図９】
2005000063.tif 000011
【図１０】
2005000063.tif 000012
【図１１】
2005000063.tif 000013
【図１２】
2005000063.tif 000014
【図１３】
2005000063.tif 000015
【図１４】
2005000063.tif 000016
【図１５】
2005000063.tif 000017
【図１６】
2005000063.tif 000018
【図１７】
2005000063.tif 000019
【図１８】
2005000063.tif 000020
【図１９】
2005000063.tif 000021
【図２０】
2005000063.tif 000022
【図２１】
2005000063.tif 000023
【図２２】
2005000063.tif 000024